(57)【要約】【課題】コストパーフォーマンスの低下を招くことなく、ＣＰＵの異常を検出して定着ヒータのオフ状態を維持することが可能なウォッチドッグ回路を備えた画像形成装置を提供する。【解決手段】ヒータ制御信号を出力して定着部２００の温度を制御する制御部４０を備えている画像形成装置１００に、複数段のフリップフロップ回路５３、５４がカスケード接続されたカウンタ回路で構成されるウォッチドッグ回路５２と、ゼロクロス信号を各フリップフロップ回路５３、５４のクロック端子に入力するゼロクロス回路３９と、前記制御部４０から前記ヒータ２０以外の負荷に出力されるパルス信号の論理の切替時にエッジ信号を生成して前記フリップフロップ回路５３、５４のクリア端子に入力するクリア信号生成回路５５と、前記ウォッチドッグ回路５２の出力信号により前記ヒータ制御信号をオフするゲート回路５１を備える。【選択図】図１
2009128406.tif 000002
【特許請求の範囲】
【請求項１】
ヒータにより加熱される定着部の温度を検出する温度検出部と、前記温度検出部により検出された定着部の温度が目標温度になるようにヒータ制御信号を出力するＣＰＵを備えた制御部と、前記定着温度が異常過熱温度に達したときに前記ヒータへの給電を強制停止する安全回路を備えている画像形成装置であって、
複数段のフリップフロップ回路がカスケード接続されたカウンタ回路で構成されるウォッチドッグ回路と、交流電圧から生成されたゼロクロス信号を各フリップフロップ回路のクロック端子に入力するゼロクロス回路と、前記制御部から前記ヒータ以外の負荷に出力されるパルス信号の論理の切替時にエッジ信号を生成して前記フリップフロップ回路のクリア端子に入力するクリア信号生成回路と、前記ウォッチドッグ回路の出力信号により前記ヒータ制御信号をオフするゲート回路を備えている画像形成装置。
【請求項２】
前記パルス信号が前記ゼロクロス信号の周波数より高い周波数に設定されている請求項１記載の画像形成装置。
【請求項３】
前記パルス信号が、装置を駆動するモータに対する速度制御パルス信号である請求項２記載の画像形成装置。
【発明の詳細な説明】
【技術分野】
【０００１】
本発明は、用紙に転写されたトナー像を加熱溶融して用紙に定着する定着部を備えた複写機やプリンタ等の画像形成装置に関し、詳述すると、ヒータにより加熱される定着部の温度を検出する温度検出部と、前記温度検出部により検出された定着部の温度が目標温度になるようにヒータ制御信号を出力するＣＰＵを備えた制御部と、前記定着温度が異常過熱温度に達したときに前記ヒータへの給電を強制停止する安全回路を備えている画像形成装置に関する。
【背景技術】
【０００２】
画像形成装置には、所定の制御プログラムに基づいて動作するＣＰＵが組み込まれた制御部が設けられ、当該制御部により定着部や画像形成部が制御される。
【０００３】
このようなＣＰＵがノイズ等の影響で暴走し、或はＣＰＵ出力ポートがラッチアップするような異常が発生すると、例えば、ヒータが常時通電されて、定着部の温度が異常に高温に過熱され、装置の損傷を招く虞がある。
【０００４】
そこで、定着部の異常過熱状態を検出すると、制御部の動作状態に拘らず、ヒータへの通電を強制的に遮断するサーモスイッチのようなハードウェア回路がヒータへの給電ラインに直列に設けられている。
【０００５】
しかし、サーモスイッチとして温度ヒューズを採用する場合には、異常過熱温度によって温度ヒューズが溶断されると、当該温度ヒューズを交換しない限りヒータへの通電は素子されるが、温度ヒューズが溶断されるような温度では、定着ローラや加圧ローラ、さらには定着装置の周辺に設置された機器や樹脂部材等が高熱により損傷する虞があった。 
【０００６】
さらに、サーモスイッチとしてバイメタル方式のスイッチを採用する場合には、定着温度が異常過熱温度以下になるとサーモスイッチが閉成されて再び定着ヒータに通電されるため、定着温度が異常過熱温度前後に維持され、定着ローラや加圧ローラ、さらには定着装置の周辺に設置された機器の樹脂部材等が高熱により変形し、さらには発煙に至る虞があった。
【０００７】
また、定着温度の制御用に設けられたサーミスタ等の温度センサによる検出温度が異常過熱温度より高くなると定着ヒータへの制御信号をオフするようなコンパレータ回路を備える場合にも、定着温度が異常過熱温度前後に維持され、同様の不都合があった。
【０００８】
そこで、特許文献１には、定着部の温度がサーモスイッチの作動温度から低下しても強制的に遮断したヒータへの通電が再開されないように、ヒータの強制オフ状態を保持する強制オフ状態保持手段としてのフリップフロップを備えた画像形成装置が提案されている。
【０００９】
また特許文献２には、ヒータの電源オフ状態を保持する強制オフ状態保持手段としてのフリップフロップと、当該フリップフロップにクロック信号が入力されてからヒータが強制オフされるまでの経過時間をカウントするカウンタを備え、当該カウンタのカウント値に基づいて制御部の異常発生の有無を検出し、制御部に異常発生が無ければ強制オフ状態保持手段の保持するパワー系の電源オフ状態を解除する画像形成装置が提案されている。
【特許文献１】特開平１１−３０９２７号公報
【特許文献２】特開２００５−９１９３５号公報
【発明の開示】
【発明が解決しようとする課題】
【００１０】
しかし、特許文献１に記載された画像形成装置では、強制オフ状態保持手段は制御部からの制御信号によりヒータの強制オフ状態を解除することが可能に構成されていたため、異常状態にある制御部から誤出力された制御信号により強制オフ状態が解除されてしまうという問題があった。
【００１１】
また、特許文献２に記載された画像形成装置では、カウンタのカウント値に基づいて制御部での異常発生を検出するためのソフトウェア処理が煩雑であった。
【００１２】
そこで、ＣＰＵの暴走を検出するウォッチドッグ回路を設けて、ＣＰＵの暴走等が発生したときにウォッチドッグ回路から出力される信号でヒータ制御信号をオフすることも考えられるが、ＣＰＵのポートからウォッチドッグ回路に対してクリア信号を定期的に出力する必要があり、そのためにポートが占有され、コストパーフォーマンスに欠けるという問題があった。
【００１３】
本発明の目的は、上述の問題に鑑み、コストパーフォーマンスの低下を招くことなく、ＣＰＵの異常を検出して定着ヒータのオフ状態を維持することが可能なウォッチドッグ回路を備えた画像形成装置を提供する点にある。
【課題を解決するための手段】
【００１４】
上述の目的を達成するため、本発明による画像形成装置の特徴構成は、特許請求の範囲の書類の請求項１に記載した通り、ヒータにより加熱される定着部の温度を検出する温度検出部と、前記温度検出部により検出された定着部の温度が目標温度になるようにヒータ制御信号を出力するＣＰＵを備えた制御部と、前記定着温度が異常過熱温度に達したときに前記ヒータへの給電を強制停止する安全回路を備えている画像形成装置であって、複数段のフリップフロップ回路がカスケード接続されたカウンタ回路で構成されるウォッチドッグ回路と、交流電圧から生成されたゼロクロス信号を各フリップフロップ回路のクロック端子に入力するゼロクロス回路と、前記制御部から前記ヒータ以外の負荷に出力されるパルス信号の論理の切替時にエッジ信号を生成して前記フリップフロップ回路のクリア端子に入力するクリア信号生成回路と、前記ウォッチドッグ回路の出力信号により前記ヒータ制御信号をオフするゲート回路を備えている点にある。
【００１５】
上述の構成によれば、ウォッチドッグ回路のクリア信号に、制御部からヒータ以外の負荷に出力されるパルス信号の論理の切替時にクリア信号生成回路により生成されるエッジ信号を使用したため、クリア信号を定期的に出力する新たなポートを増設することなくウォッチドッグ回路をクリアすることができる。
【００１６】
同第二の特徴構成は、同請求項２に記載した通り、上述の第一の特徴構成に加えて、前記パルス信号が前記ゼロクロス信号の周波数より高い周波数に設定されている点にある。
【００１７】
上述の構成によれば、クロック端子に入力されるゼロクロス信号の周期よりも確実に短い周期で、各フリップフロップはクリアされるため、制御部からパルス信号が正常に出力されていれば、ウォッチドッグ回路から信号が出力されることはない。
【００１８】
同第三の特徴構成は、同請求項３に記載した通り、上述の第二の特徴構成に加えて、前記パルス信号が、装置を駆動するモータに対する速度制御パルス信号である点にある。
【００１９】
上述の構成によれば、エッジ信号の生成に好適な速度制御パルス信号から、クリア信号生成回路によりエッジ信号が生成される。
【発明の効果】
【００２０】
以上説明した通り、本発明によれば、コストパーフォーマンスの低下を招くことなく、ＣＰＵの異常を検出して定着ヒータのオフ状態を維持することが可能なウォッチドッグ回路を備えた画像形成装置を提供することができるようになった。
【発明を実施するための最良の形態】
【００２１】
以下に、本発明を採用した画像形成装置の一例であるカラープリンタについて説明する。
【００２２】
図２に示すように、電子写真方式を採用したカラープリンタ１００は、液晶画面やプリント条件などを入力する操作キー等が配置された操作部１１０と、ネットワーク等を介してパーソナルコンピュータ等から入力された画像データに基づいてトナー像を形成する画像形成部１２０と、用紙収容部１４０から搬送された用紙に画像形成部１２０が形成したトナー画像を転写する転写部１３０と、トナー像を溶融して用紙に定着する定着部２００等の機能ブロックと、これらの機能ブロックを制御して所定の画像形成プロセスを実行するシステム制御部４００と、システム制御部４００等に必要な電力を供給する電源部３００を備えて構成されている。
【００２３】
画像形成部１２０は、感光体と、感光体表面を一様に帯電する帯電装置と、入力された画像データに基づきレーザビームを走査して感光体表面を露光して静電潜像を形成する露光装置と、形成された静電潜像をトナー画像として顕像化する現像装置などを備えた感光体ユニットをＭ、Ｃ、Ｙ、Ｋのトナー色毎に備えている。
【００２４】
転写部１３０は、画像形成部１２０の各感光体ユニットで形成されたトナー画像を重畳して担持する中間転写ベルト１３２と、中間転写ベルト１３２を回転支持する支持ローラ１３１と、中間転写ベルト１３２に担持されたトナー画像を用紙収容部１４０から搬送された用紙に転写する転写ローラ１３３と、中間転写ベルト１３２の残留トナーを除去するブレード１３４などを備えている。
【００２５】
図３に示すように、定着部２００は、ヒータ２０が内装された定着ローラ２１と定着ローラ２１に圧接された加圧ローラ２２を備え、定着温度を検出する温度検出部としてのサーミスタ２３が定着ローラ２０の非通紙領域に接触配置されている。
【００２６】
図１に示すように、サーミスタ２３は抵抗Ｒ２４と直列に接続されており、サーミスタ２３と抵抗Ｒ２４による直流電圧Ｖｄｃ２の分圧値がシステム制御部４００に入力されている。本実施形態では、サーミスタ２３にＮＴＣ（Negative Temperature Coefficient）サーミスタが用いられている。よって、当該分圧値は定着温度の上昇に対応して増加し、例えば、定着温度が常温状態である２０℃のときには０．１３２Ｖ、適温状態である１８０℃のときには２．４１５Ｖ、高温状態である２３０℃のときには２．８５２Ｖになるように設定されている。
【００２７】
電源部３００は、商用電源ラインの入力側に設けられたノイズフィルタ３０１と、パワースイッチとしてのリレースイッチ３０２と、入力交流電圧を降圧し、降圧された交流電圧を直流電圧Ｖｄｃ２にＡＣ／ＤＣ変換してシステム制御部４００に供給する電源回路３０３を備えている。リレースイッチ３０２の直後に定着部２００のヒータ２０に給電する給電ラインが分岐接続されている。
【００２８】
当該給電ラインには、例えば、バイメタル等で構成されるサーモスイッチでなる第一安全回路３０４がヒータ２０と直列に設置されている。ヒータ２０への給電が長時間維持される等により、定着温度が異常過熱温度に達すると、第一安全回路３０４が開成してヒータ２０への給電が強制的に遮断される。
【００２９】
図４（ａ）に示すように、電源回路３０３は、商用電源から入力されたＡＣ１００Ｖの交流電圧が一次側に入力され、降圧した交流電圧ＡＣ２６Ｖと交流電圧ＡＣ１２Ｖを二次側から出力する電源トランスＴ３０と、交流電圧ＡＣ２６ＶをＡＣ／ＤＣ変換して直流電圧ＤＣ２４Ｖ（Ｖｄｃ１）を出力する第一直流電圧出力部３１と、交流電圧ＡＣ１２ＶをＡＣ／ＤＣ変換して直流電圧ＤＣ３．３Ｖ（Ｖｄｃ２）を出力する第二直流電圧出力部３と、交流電圧ＡＣ１２Ｖのゼロ電位を検出してゼロクロス信号を出力するゼロクロス回路３９等が基板に配置されて構成されている。
【００３０】
第一直流電圧出力部３１は、ダイオードブリッジで構成される整流器３２と平滑用コンデンサＣ３３とＤＣレギュレータ３４等を備え、整流器３２により交流電圧ＡＣ２６Ｖを全波整流し、平滑用コンデンサＣ３３で平滑化し、ＤＣレギュレータ３４でＤＣ／ＤＣ変換して直流電圧Ｖｄｃ１を出力する。
【００３１】
第二直流電圧出力部３５は、ダイオードブリッジで構成される整流器３６と平滑用コンデンサＣ３７とＤＣレギュレータ３８等を備え、整流器３６により交流電圧ＡＣ１２Ｖを全波整流し、平滑用コンデンサＣ３７で平滑化し、ＤＣレギュレータ３８でＤＣ／ＤＣ変換して直流電圧Ｖｄｃ２を出力する。
【００３２】
ゼロクロス回路３９は、ダイオードブリッジで構成される整流器３９０とＰＮＰ型トランジスタＱ３９２とＮＰＮ型トランジスタＱ３９３等を備える。図４（ｂ）に示すように、整流器３９０により全波整流された電圧がトランジスタＱ３９２のベースに入力されると、トランジスタＱ３９２のエミッタからゼロクロスポイント付近でローレベルとなるパルス信号が出力され、当該パルス信号がベースに入力されたトランジスタＱ３９３のコレクタから論理が反転した矩形のパルス信号がゼロクロス信号として出力される。
【００３３】
従って、商用電源の周波数が５０Ｈｚ（６０Ｈｚ）のときには、当該ゼロクロス信号の周波数は１００Ｈｚ（１２０Ｈｚ）となり、その周期Ｔｚが１０ｍｓ（８．３ｍｓ）となる。
【００３４】
尚、本実施形態では、第二直流電圧出力部３５からシステム制御部４００に供給される直流電圧Ｖｄｃ２は直流電圧ＤＣ３．３Ｖとするが、システム制御部４００等の動作電圧に応じて適宜設定することができる。例えば、直流電圧Ｖｄｃ２が直流電圧ＤＣ５Ｖであってもよい。
【００３５】
図１に示すように、システム制御部４００はマイクロコンピュータ４０と周辺回路が設置された制御基板で構成される。マイクロコンピュータ４０はＣＰＵ４１と制御プログラム等を格納したＲＯＭとＣＰＵ４１の作業領域として使用されるＲＡＭと入出力回路等を備えている。ＲＯＭには、サーミスタ２３と抵抗Ｒ２４による直流電圧Ｖｄｃ２の分圧値と、それに対応する定着温度の関係を示す定着温度テーブルデータが格納されている。
【００３６】
マイクロコンピュータ４０は、ＣＰＵ４１が実行する動作プログラムに基づいて、サーミスタ２３と抵抗Ｒ２４による直流電圧Ｖｄｃ２の分圧値のアナログ電圧値をＡ／Ｄ変換して求め、定着温度テーブルを参照して定着温度を検出する。また、マイクロコンピュータ４０は、画像形成部１２０や転写部１３０の備える各ローラ等に動力を供給するモータ７１に対する速度制御パルス信号をモータ駆動回路７０に常時出力する。
【００３７】
モータ駆動回路７０は、速度制御パルス信号を分周または逓倍してモータ駆動用の所定周波数のクロック信号を生成し、マイクロコンピュータ４０からの指示に応じて、ＰＬＬ制御によりモータ７１を回転駆動させる。また、モータ駆動回路７０は、モータ７１の回転速度が所定の回転速度になると、ハイレベルのレディー信号ＲＤＹをマイクロコンピュータ４０に出力する。マイクロコンピュータ４０は、モータ駆動回路７０からハイレベルのレディー信号が入力されると、モータ７１が所定の回転速度になったと判断する。
【００３８】
カラープリンタ１００に画像データが入力されると、マイクロコンピュータ４０は、モータ７１の駆動開始を指示するスタート信号を出力してモータ駆動回路７０を介してモータ７１を駆動する。また、マイクロコンピュータ４０は、ハイレベル又はローレベルのヒータ制御信号を出力して定着温度が目標温度になるようにヒータ２０をオンオフ制御する。即ち、マイクロコンピュータ４０は本発明の制御部である。
【００３９】
具体的には、定着温度が所定温度より低いとき、マイクロコンピュータ４０からローレベルで出力されたヒータ制御信号がトランジスタＱ４２のベースに入力されて、トランジスタＱ４２のコレクタからハイレベルの信号がトライアック３０５に入力され、トライアック３０５は閉成状態となってヒータ２１がオンする。定着温度が所定温度より高いとき、マイクロコンピュータ４０からハイレベルで出力されたヒータ制御信号がトランジスタＱ４２のベースに入力されて、トランジスタＱ４２のコレクタからローレベルの信号がトライアック３０５に入力され、トライアック３０５は開成状態となってヒータ２１がオフする。
【００４０】
マイクロコンピュータ４０は、モータ７１が所定の回転速度になり、定着温度が目標温度まで上昇すると、画像形成部１２０に対して当該画像データに基づくトナー画像を形成させ、転写部１３０に対して用紙収容部１４０から搬送された用紙にトナー画像を転写させ、定着部２００によりトナー画像が定着された用紙を出力させる。
【００４１】
ＣＰＵ４１がノイズ等の影響で暴走し、或はＣＰＵ４１の出力ポートがラッチアップするような異常が発生し、マイクロコンピュータ４０から常にローレベルのヒータ制御信号が出力されると、ヒータ２０への給電が継続されて定着温度が上昇する。定着温度が異常過熱温度に達すると第一安全回路３０４が開成してヒータ２０への給電は遮断されるが、定着温度が異常過熱温度より低下すると第一安全回路３０４が閉成してヒータへの給電が再開される。従って、図５に示すように、定着温度は異常過熱温度前後に維持され、定着部２００や定着部２００付近の装置の損傷を招く虞がある。
【００４２】
そこで、図１に示すように、制御部４００には、マイクロコンピュータ４０が異常状態にあると考えられるときに、ヒータ２０を強制オフする第二安全回路５０が周辺回路の一つとして設置されている。
【００４３】
第二安全回路５０は、複数段のフリップフロップ回路がカスケード接続されたカウンタ回路で構成されるウォッチドッグ回路５２と、マイクロコンピュータ４０からヒータ２０以外の負荷に出力されるパルス信号の論理の切替時にエッジ信号を生成してフリップフロップ回路のクリア端子に入力するクリア信号生成回路５５を備えて構成される。
【００４４】
図６に示すように、本実施形態では、ウォッチドッグ回路５２には、カスケード接続された二段のＤ型リフリップフロップ回路５３、５４が備えられ、クリア信号生成回路５５には、抵抗とコンデンサでなる遅延回路５６と、パルス信号と遅延回路５６により遅延された当該パルス信号が入力される排他論理和ゲート回路５７が備えられている。
【００４５】
各フリップフロップ回路５３、５４のクロック端子にはゼロクロス回路３９で生成されたゼロクロス信号が入力される。また、フリップフロップ回路５３には直流電圧Ｖｄｃ２が入力され、フリップフロップ回路５４の出力信号はトランジスタＱ４２とトライアック３０５の接続ノードにコレクタが接続されたトランジスタＱ５１のベースに入力される。
【００４６】
トランジスタＱ５１は、トランジスタＱ４２とワイヤードオアを構成しており、ベースにハイレベルの信号が入力されると、ヒータ制御信号の論理に関わらず、トライアック３０５を開成させてヒータを強制オフする。即ち、トランジスタＱ５１は、ウォッチドッグ回路５２の出力信号によりヒータ制御信号をオフするゲート回路である。
【００４７】
クリア信号生成回路５５はマイクロコンピュータ４０からモータ駆動回路７０に出力される速度制御パルス信号の論理の切替時にエッジ信号を生成するように構成されている。各フリップフロップ回路５３、５４のクリア端子には当該エッジ信号が入力される。
【００４８】
具体的には、図７（ａ）に示すように、排他論理和ゲート回路５７により、速度制御パルス信号と遅延回路５６により遅延された当該速度制御パルス信号の排他論理和が求められて、速度制御パルス信号の論理の切替時にエッジ信号が生成される。ここで、速度制御パルス信号はゼロクロス信号の周波数より高い周波数に設定されているため、ゼロクロス信号の周期Ｔｚよりも確実に短い周期Ｔｅでエッジ信号が生成される。
【００４９】
以下に、第二安全回路５０によるヒータ強制オフ動作について、図７（ｂ）のタイミングチャートを用いて説明する。
【００５０】
マイクロコンピュータ４０の動作が正常であり、速度制御パルス信号がゼロクロス信号の周波数より高い所定の周波数で出力されているとき、ゼロクロス信号がウォッチドッグ回路５３、５４に入力されると、フリップフロップ回路５３からハイレベルの信号が出力される。
【００５１】
しかし、ゼロクロス信号の周期Ｔｚよりも短い周期Ｔｅで入力されるエッジ信号によりクリアされるため、次のゼロクロス信号が入力される前に、フリップフロップ回路５３からはローレベルの信号が出力される。
【００５２】
従って、マイクロコンピュータ４０が正常に動作しているときには、常にローレベルの信号が入力されるフリップフロップ回路５４からハイレベルの信号が出力されることはなく、ヒータ２０が強制オフされることはない。
【００５３】
マイクロコンピュータ４０の動作が異常になり、速度制御パルス信号の論理が切替らなくなっているときに、ゼロクロス信号がウォッチドッグ回路５３、５４に入力されると、フリップフロップ回路５３からハイレベルの信号が出力される。
【００５４】
ここで、速度制御パルス信号の論理は切替らないため、クリア信号生成回路５５ではエッジ信号が生成されず、フリップフロップ回路５３の出力は維持され、次のゼロクロス信号が入力されると、フリップフロップ回路５４からハイレベルの信号が出力される。
【００５５】
従って、マイクロコンピュータ４０の動作が異常になり、速度制御パルス信号の論理が切替らなくなっているときに、ゼロクロス信号が２回入力されると（交流電圧の周波数が５０Ｈｚであれば、２０ｍｓ経過後）、ヒータ２０は強制オフされるため、定着温度が異常過熱温度付近に維持されることはない。
【００５６】
以下に、別実施形態について説明する。
【００５７】
上述の実施形態では、カスケード接続された二段のフリップフロップ回路５３、５４によりウォッチドッグ回路５２に備えられたカウンタ回路が構成されるものとしたが、フリップフロップ回路の段数は、マイクロコンピュータ４０が異常状態になってから、ヒータ２０を強制オフするまでの時間に応じて適時変更すればよい。
【００５８】
上述の実施形態では、クリア信号生成回路５５は、マイクロコンピュータ４０からモータ駆動回路７０に出力される速度制御パルス信号の論理の切替時にエッジ信号を生成するものとしたが、ゼロクロス信号の周波数より高い周波数でマイクロコンピュータ４０から出力されるパルス信号であれば、速度制御パルス信号に替えて、当該パルス信号の論理の切替時にクリア信号生成回路５５がエッジ信号を生成するものであってもよい。
【００５９】
また、エッジ信号はパルス信号の切替時に生成されるため、エッジ信号の周波数はパルス信号の周波数の二倍の周波数となる。従って、パルス信号の周波数はゼロクロス信号の周波数の半分の周波数より高い周波数であればよい。具体的には、例えば、ゼロクロス信号の周波数が１００Ｈｚであれば、パルス信号の周波数は５０Ｈｚより高い周波数であればよい。
【００６０】
上述の実施形態では、システム制御部４００にウォッチドッグ回路５１とクリア信号生成回路５５を備えた第二安全回路５０を備えるものとしたが、図８（ａ）に示すように、システム制御部４００に、サーミスタ２３により検出された定着温度に基づいてヒータ２０を強制オフする第三安全回路４３を備えるものであっても、第二安全回路５０によるヒータ２０の強制オフには影響を生じることはない。
【００６１】
ここで、図８（ｂ）に示すように、第三安全回路４３には、定着温度が予め設定した温度になったときのサーミスタ２３と抵抗Ｒ２４による直流電圧Ｖｄｃ２の分圧値に対応する電圧値が非反転入力端子に入力され、分圧値が反転入力端子に入力されるコンパレータ４９０が備えられており、コンパレータ４９０の出力がトランジスタＱ４３に入力されるように構成されている。従って、第三安全回路４３によれば、定着温度が予め設定した温度より高くなり、分圧値が当該電圧値よりも大きくなったときにコンパレータ４９０から出力されたローレベルの信号によりヒータ制御信号が強制オフされる。
【００６２】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００６３】
【図１】システム制御部の主要な機能ブロック図
【図２】カラープリンタの外観図
【図３】定着部の説明図
【図４】（ａ）は電源部の説明図、（ｂ）はゼロクロス信号の説明図
【図５】安全回路（第一安全回路）によりヒータが強制オフされるときの定着温度を説明するグラフ
【図６】ウォッチドッグ回路とクリア信号生成回路の説明図
【図７】（ａ）はクリア信号生成回路によるエッジ信号生成の説明図、（ｂ）はウォッチドッグ回路からハイレベルの信号が出力されるまでを説明するタイミングチャート
【図８】（ａ）は別実施形態でのシステム制御部の主要な機能ブロック図、（ｂ）は第三安全回路の説明図
【符号の説明】
【００６４】
２０：ヒータ
２３：温度検出部（サーミスタ）
３９：ゼロクロス回路
４０：制御部（マイクロコンピュータ）
４１：ＣＰＵ
５０：第二安全回路
５１：ゲート回路（トランジスタ）
５２：ウォッチドッグ回路
５５：クリア信号生成回路
７０：モータ駆動回路
７１：モータ
２００：定着部
３００：電源部
３０１：ノイズフィルタ
３０２：リレースイッチ
３０３：電源回路
３０４：安全回路（サーモスイッチでなる第一安全回路）
３０５：トライアック
４００：システム制御部
【図１】
2009128406.tif 000003
【図２】
2009128406.tif 000004
【図３】
2009128406.tif 000005
【図４】
2009128406.tif 000006
【図５】
2009128406.tif 000007
【図６】
2009128406.tif 000008
【図７】
2009128406.tif 000009
【図８】
2009128406.tif 000010